(57)【要約】【課題】着脱が容易で使用者に負担の少ない補助ウェアを提供する。【解決手段】補助ウェア１００は、少なくとも股間を覆うパンツ部１１０と、左右の肩に掛かるショルダー部１２０と、パンツ部１１０から身体の前面を経てショルダー部１２０に至る前側上半身部１３０と、パンツ部１１０から身体の背面を覆いショルダー部１２０に至る後ろ身頃部１４０とを備え、後ろ身頃部１４０は、着丈方向に伸縮する弾性素材からなり、パンツ部１１０の股間部分とショルダー部１２０を支点として、後ろ身頃部１４０の伸縮を支持することを特徴とする。パンツ部１１０の股間部分とショルダー部１２０を支点として後ろ身頃部１４０の伸縮を支持することから、動作による支点のズレを防ぐことができる。このため、ベルト状のもので固定する必要がない。よって、着脱が容易で使用者に負担が少ない。【選択図】図２
2019173252.tif 000002
【特許請求の範囲】
【請求項１】
少なくとも股間を覆うパンツ部と、
左右の肩に掛かるショルダー部と、
前記パンツ部から身体の前面を経て前記ショルダー部に至る前側上半身部と、
前記パンツ部から身体の背面を覆い前記ショルダー部に至る後ろ身頃部と、
を備え、
前記後ろ身頃部は、着丈方向に伸縮する弾性素材からなり、
前記パンツ部の股間部分と前記ショルダー部を支点として、前記後ろ身頃部の伸縮を支持することを特徴とする、補助ウェア。
【請求項２】
前記前側上半身部に、前記前側上半身部の長さを調整することにより、前記後ろ身頃部の弾性力を調整するための長さ調整部を備えたことを特徴とする、請求項１に記載の補助ウェア。
【請求項３】
前記パンツ部は、股間を保護する股間パッドを備えたことを特徴とする、請求項１又は２に記載の補助ウェア。
【請求項４】
前記パンツ部の股間部分に、滑り止めを備えたことを特徴とする、請求項１〜３のいずれかに記載の補助ウェア。
【請求項５】
前記ショルダー部は、肩を保護するショルダーパッドを備えたことを特徴とする、請求項１〜４のいずれかに記載の補助ウェア。
【請求項６】
前記ショルダー部は、滑り止めを備えたことを特徴とする、請求項１〜５のいずれかに記載の補助ウェア。
【請求項７】
前記パンツ部は、股間以外は身体に密着しないことを特徴とする、請求項１〜６のいずれかに記載の補助ウェア。
【請求項８】
前記後ろ身頃部は、前記ショルダー部の幅と同じかそれ以上の幅を有することを特徴とする、請求項１〜７のいずれかに記載の補助ウェア。
【請求項９】
前記後ろ身頃部は、身体の背面の全域を覆うことを特徴とする、請求項１〜８のいずれかに記載の補助ウェア。
【請求項１０】
前記後ろ身頃部と前記前側上半身部は連結されていないことを特徴とする、請求項１〜９のいずれかに記載の補助ウェア。
【請求項１１】
前記パンツ部、前記ショルダー部及び前記前側上半身部は、伸縮性のない素材又は前記後ろ身頃部の伸縮率の１／４以下の伸縮率を有する素材からなることを特徴とする、請求項１〜１０のいずれかに記載の補助ウェア。
【請求項１２】
前記後ろ身頃部は、複数の後ろ身頃片をつなぎ合わせて構成されることを特徴とする、請求項１〜１１に記載の補助ウェア。
【発明の詳細な説明】
【技術分野】
【０００１】
本発明は、着用することにより身体の動きを補助する補助ウェアに関する。
【背景技術】
【０００２】
従来、着用することにより身体の動きを補助する補助ウェアとして、特開２０１６−６４０５５号公報（特許文献１）に開示するものがあった。同文献に開示される補助ウェアは、左肩から背中を通り右腰部にかけて配置される第１の上半身用主部材と、右肩から背中を通り左腰部にかけて配置される第２の上半身用主部材と、上半身用主部材と接続し臀部に配置される下半身用主部材とによって、体幹を前屈させた姿勢での腰背部の筋を補助する。そして、第１の上半身用主部材と第２の上半身用主部材が背中で交差する交差位置に、第１の上半身用主部材と第２の上半身用主部材との離間距離を所定以下に規制する離間規制部を備えているものである。
【０００３】
このような補助ウェアによれば、体幹を前屈させた姿勢での腰背部の筋を補助する機能を損なったり、体幹側屈や回旋などの動作に干渉したりすることなく、弾性部材同士や生地との絡まりを防いで着脱を容易にすることができる。
【先行技術文献】
【特許文献】
【０００４】
【特許文献１】特開２０１６−６４０５５号公報
【発明の概要】
【発明が解決しようとする課題】
【０００５】
しかしながら、特許文献１に開示されるような従来の補助ウェアでは、装着の際にバンド状の部材を身体に取り付ける必要があるため、着脱しやすいとは言えず更なる改善の余地があった。また、バンド状の部材を身体に固定すると、部材が身体に食い込み、使用者に負担を与えるという問題があった。
【０００６】
そこで本発明は、このような問題に鑑みてなされたもので、その目的とするところは、着脱が容易で使用者に負担の少ない、新規かつ改良された補助ウェアを提供することにある。
【課題を解決するための手段】
【０００７】
上記課題を解決するために、本発明によれば、少なくとも股間を覆うパンツ部と、左右の肩に掛かるショルダー部と、前記パンツ部から身体の前面を経て前記ショルダー部に至る前側上半身部と、前記パンツ部から身体の背面を覆い前記ショルダー部に至る後ろ身頃部と、を備え、前記後ろ身頃部は、着丈方向に伸縮する弾性素材からなり、前記パンツ部の股間部分と前記ショルダー部を支点として、前記後ろ身頃部の伸縮を支持することを特徴とする、補助ウェアが提供される。
【０００８】
かかる構成によれば、パンツ部の股間部分とショルダー部を支点として後ろ身頃部の伸縮を支持することから、股間部分とショルダー部のみが身体に密着するように着用すればよい。その他の部分は身体に密着させる必要がない。身体の中で動作性が少ない股間部分を支点とすることにより、動作による支点のズレを防ぐことができる。このため、特にベルト状のもので固定する必要がない。このことから、着脱が容易であるとともに、使用者に負担が少ない。このようにして、着脱が容易で使用者に負担の少ない補助ウェアを提供することができる。
【０００９】
本発明は様々な応用が可能である。以下の応用例は適宜組み合わせることが可能である。例えば、前記前側上半身部に、前記前側上半身部の長さを調整することにより、前記後ろ身頃部の弾性力を調整するための長さ調整部を備えるようにしてもよい。例えばバックルのようなものを備えてもよい。本発明ではパンツ部の股間部分とショルダー部を支点として後ろ身頃部の伸縮を支持することから、このような長さ調整部を備えることで、後ろ身頃部の伸縮を確実に支持することができる。
【００１０】
また、前記パンツ部は、股間を保護する股間パッドを備えるようにしてもよい。本発明ではパンツ部の股間部分とショルダー部を支点として後ろ身頃部の伸縮を支持することから、このような股間パッドを備えることで、股間を保護することができる。
【００１１】
また、前記パンツ部の股間部分に、滑り止めを備えるようにしてもよい。股間部分に又は股間パッドに滑り止めを備えることで、股間部分のずれが防止されて、股間部分における支点のずれが防止される。よって、ショルダー部とパンツ部で、後ろ身頃部の伸縮をより確実に支持することができる。
【００１２】
また、前記ショルダー部は、肩を保護するショルダーパッドを備えるようにしてもよい。本発明ではパンツ部の股間部分とショルダー部を支点として後ろ身頃部の伸縮を支持することから、このようなショルダーパッドを備えることで、肩を保護することができる。特に、上記の長さ調整部を備えた場合には、長さ調整時の肩の締め付け防止に効果がある。
【００１３】
また、前記ショルダー部は、滑り止めを備えるようにしてもよい。ショルダー部に滑り止めを備えることで、ショルダー部の肩からのずれが防止されて、肩における支点のずれが防止される。よって、ショルダー部とパンツ部で、後ろ身頃部の伸縮をより確実に支持することができる。特に、パンツ部の股間部分とショルダー部に同じ滑り止めを備えると、肩と股間部分で滑り止めの感覚が共通となり、伸縮動作時の力の入れ方が容易になる。
【００１４】
また、前記パンツ部は、股間以外は身体に密着しないようにしてもよい。パンツ部はルーズな構成となっており股間以外は身体に密着しない構成であるため、着脱が容易である。
【００１５】
また、前記後ろ身頃部は、前記ショルダー部の幅と同じかそれ以上の幅を有するようにしてもよい。後ろ身頃部の伸縮力が左右のショルダー部にほぼ等分にかかるため、後ろ身頃部の伸縮を確実に支持することができる。
【００１６】
また、前記後ろ身頃部は、身体の背面の全域（ほぼ全域）を覆うようにしてもよい。後ろ身頃部が身体の背面の全域を覆うため、腰を曲げたときの弾性素材の伸縮力が背面全域に作用して、重量物を持ち上げる際に、背筋を効率よく補助することができる。
【００１７】
また、前記後ろ身頃部と前記前側上半身部は連結されていないようにすることもできる。例えば、前側上半身部をバンド状にするなどして、後ろ身頃部と前側上半身部とは連結されておらず、脇が開いている構成とすることによって、前側上半身部が後ろ身頃部の伸縮に影響を及ぼさない。このため、後ろ身頃部を効率よく伸縮することができる。
【００１８】
また、前記パンツ部、前記ショルダー部及び前記前側上半身部は、伸縮性のない素材又は前記後ろ身頃部の伸縮率の１／４以下の伸縮率を有する素材からなるようにしてもよい。パンツ部の股間部分とショルダー部の位置がずれにくいため、股間部分とショルダー部を支点として、後ろ身頃部の伸縮を効率よく支持することができる。
【００１９】
また、前記後ろ身頃部は、複数の後ろ身頃片をつなぎ合わせて構成されるようにしてもよい。複数の後ろ身頃片は、数、後ろ身頃片毎の引張弾性率、連結方向などを任意とすることができるため、後ろ身頃片の数、引張弾性率、連結方向などを任意に組み合わせることよって、後ろ身頃部の弾性力を調整することができる。
【発明の効果】
【００２０】
本発明によれば、着脱が容易で使用者に負担の少ない補助ウェアを提供することが可能である。本発明のその他の効果については、後述する発明を実施するための形態においても説明する。
【図面の簡単な説明】
【００２１】
【図１】着用した状態の補助ウェア１００を前側から見た図である。
【図２】着用した状態の補助ウェア１００を後側から見た図である。
【図３】補助ウェア１００の着用方法を示す図であり、（ａ）はパンツ部１１０を履くために、片足を入れたところを示し、（ｂ）はパンツ部１１０を着用したところを示す。
【図４】補助ウェア１００の着用方法を示す図であり、（ａ）はショルダー部１２０を片方通したところを示し、（ｂ）はショルダー部１２０を両方通したところを示し、（ｃ）はショルダー部１２０を調整しているところを示す。
【図５】補助ウェア１００の作用を示す図であり、（ａ）は使用者が直立しているところを示し、（ｂ）は使用者が腰をかがめているところを示す。
【図６】着用した状態の補助ウェア２００を前側から見た図である。
【図７】着用した状態の補助ウェア２００を後側から見た図である。
【図８】補助ウェア３００を前側から見た図である。
【図９】補助ウェア３００を後側から見た図である。
【発明を実施するための形態】
【００２２】
以下に添付図面を参照しながら、本発明の好適な実施形態について詳細に説明する。なお、本明細書及び図面において、実質的に同一の機能構成を有する構成要素については、同一の符号を付することにより重複説明を省略する。
【００２３】
（第１の実施形態）
補助ウェア１００の構成について、図１及び図２を参照しながら説明する。図１は、着用した状態の補助ウェア１００を前側から見た図である。図２は、着用した状態の補助ウェア１００を後側から見た図である。
【００２４】
補助ウェア１００は、図１及び図２に示したように、少なくとも股間を覆うパンツ部１１０と、左右の肩に掛かるショルダー部１２０と、パンツ部１１０から身体の前面を経てショルダー部１２０に至る前側上半身部１３０と、パンツ部１１０から身体の背面を覆いショルダー部１２０に至る後ろ身頃部１４０とを備える。そして、補助ウェア１００の特徴としては、後ろ身頃部１４０は着丈方向に伸縮する弾性素材からなり、パンツ部１１０の股間部分とショルダー部１２０を支点として、後ろ身頃部１４０の伸縮を支持することを特徴とする。以下、各構成要素について、詳述する。
【００２５】
（パンツ部１１０）
パンツ部１１０は、図１及び図２に示したように、少なくとも股間を覆う部分である。なお股間とは、脚の付け根近傍から臀部近傍を含む部分である。パンツ部１１０は、股間部分以外の部分は身体に密着していない。パンツ部１１０は、後述する後ろ身頃部１４０の１／４程度の伸縮率を有する素材で構成されている。ただし、パンツ部１１０は、例えば伸縮性のない素材や、汗で濡れたときや洗濯時などにも渇きやすく適度な伸縮性を有するドライストレッチ素材で構成されていてもよい。
【００２６】
パンツ部１１０は、図１及び図２に示したように、股間に当たる部分にウレタンパッド１１２を備える。ウレタンパッド１１２は、身体に密着することによりパンツ部１１０が股間へ食い込むことを防ぎ、身体を保護するとともに、後述するように、後ろ身頃部１４０の伸縮を支持する。なお、ウレタンパッド１１２は、縫製などにより着脱不能なように取り付けられてもよく、パンツ部１１０に縫い付けられたインナーパンツの股間に当たる部分に取り付けられてもよい。また、ボタンなどにより容易に着脱可能に取り付けられてもよい。
【００２７】
パンツ部１１０は、補助ウェア１００の着用のしやすさのために、ルーズな構成となっており、ウレタンパッド１１２のみ身体に密着するが、それ以外の部分は身体に密着しない構成となっている。このため、補助ウェア１００の着用時には、簡単にパンツ部１１０に脚を通せる。なお、パンツ部１１０の長さは任意でよい。例えば、夏用と冬用あるいは大人用と子供用などに応じて、長さを変えてもよい。
【００２８】
（ショルダー部１２０）
ショルダー部１２０は、図１に示したように、左右の肩に掛かる部分である。ショルダー部１２０は後述する前側上半身部１３０と後ろ身頃部１４０に連結されている。ショルダー部１２０は、後述する後ろ身頃部１４０の１／４程度の伸縮率を有する素材で構成されている。ただし、ショルダー部１２０は、例えば伸縮性のない素材や、汗で濡れたときや洗濯時などにも渇きやすく適度な伸縮性を有するドライストレッチ素材で構成されていてもよい。ショルダー部１２０は肩に密着する。使用者は、ショルダー部１２０の２点と上記パンツ部１１０の股間部分の１点の合計３点のみで、後ろ身頃部１４０の伸縮を支持する。
【００２９】
（前側上半身部１３０）
前側上半身部１３０は、図１に示したように、パンツ部１１０から身体の前面を経てショルダー部１２０に至る部分である。前側上半身部１３０は、左右のショルダー部１２０から連なるバンド状に構成されている。このため、着脱時には、前側上半身部１３０を左右に開くことで、着脱が容易である。前側上半身部１３０は、後述する後ろ身頃部１４０の１／４程度の伸縮率を有する素材で構成されている。ただし、前側上半身部１３０は、例えば伸縮性のない素材や、汗で濡れたときや洗濯時などにも渇きやすく適度な伸縮性を有するドライストレッチ素材で構成されていてもよい。
【００３０】
前側上半身部１３０には、図１に示したように、後ろ身頃部１４０の弾性力を調整するためのバックル状の長さ調整部１３２を備えている。本実施形態の補助ウェア１００は、股間とショルダー部１２０のみで、後ろ身頃部１４０の伸縮を支持することを特徴とする。この長さ調整部１３２を調整することで、後ろ身頃部１４０の弾性素材を伸長させて、弾性素材の復元力を調整することができる。すなわち、後ろ身頃部１４０の弾性素材を伸長した状態で腰を曲げると、弾性素材の復元力が強まり、重量物を持ち上げる際に、背筋を補助する仕組みになっている。
【００３１】
（後ろ身頃部１４０）
後ろ身頃部１４０は、図２に示したように、パンツ部１１０から身体の背面を覆いショルダー部１２０に至る部分である。後ろ身頃部１４０は、例えば肩甲骨の下部から骨盤の上部までとすることができる。後ろ身頃部１４０は、着丈方向に伸縮する弾性素材からなる。なお一般に後ろ身頃とは、ウェアの胴体の後ろを覆う部分であり、うしろみとも称される部分である。本実施形態の補助ウェア１００は、背中の部分をほぼ全域及び腰部から臀部わたって覆うことを特徴とする。そして、後ろ身頃部１４０は、ショルダー部１２０の幅と同じかそれ以上の幅を有し、着丈方向に伸縮する弾性素材からなる。例えば、後ろ身頃部１４０は、他の部分よりも４倍程度、伸縮する素材（例えば、見掛けの引張弾性率（引っ張り弾性係数）が３．５〜３．７ＭＰａ程度の素材）とすることができる。なお、後ろ身頃部１４０は、強度や伸縮を増すために、複数の弾性素材を重ねたり、つなげたりしたものであってもよい。
【００３２】
以上、補助ウェア１００の構成について説明した。次に、補助ウェア１００の着用時の動作について、図３及び図４を参照しながら説明する。図３及び図４は、補助ウェア１００の着用時の動作を示す図である。
【００３３】
補助ウェア１００の着用時について、図３を参照しながら説明する。まず、使用者は、ショルダー部１２０と前側上半身部１３０の左右の部分を押し広げる。そして、使用者は、図３（ａ）に示したように、補助ウェア１００を左右の手で持って、パンツ部１１０を通常のパンツのように履く。このとき、パンツ部１１０はウレタンパッド１１２の部分のみを身体に密着させればよく、その他の部分は身体に密着させる必要がないため、着用が容易である。図３（ｂ）は、使用者がパンツ部１１０を着用した状態である。
【００３４】
次に、使用者は、図４（ａ）に示したように、ショルダー部１２０を一方の肩に掛ける。図４（ｂ）は、使用者がショルダー部１２０を両肩に掛けた状態である。このときも、前側上半身部１３０を身体に密着させる必要がなく、後から長さを調整できるため、着用が容易である。その後、使用者は、図４（ｃ）に示したように、長さ調整部１３２によって長さを調整する。長さ調整部１３２を調整することで、後ろ身頃部１４０の伸縮を支持するのに適切な長さに調整することができる。
【００３５】
補助ウェア１００を脱ぐときには、以上の動作の逆の手順で脱ぐことができる。
【００３６】
次に、補助ウェア１００の作用について、図５を参照しながら説明する。図５は、補助ウェア１００の作用を示す図であり、（ａ）は使用者が直立しているところを示し、（ｂ）は使用者が腰をかがめているところを示す。
【００３７】
一例として物を持ち上げるときの動作について説明する。
使用者が補助ウェア１００を着て直立した状態では、図５（ａ）に示したように、肩から股間までの長さはＬ１である。この長さＬ１は後ろ身頃部１４０が伸びてもいず縮んでもいない自然長であってもよく、また、曲げ方向に対する復元力を増すために後ろ身頃部１４０が伸長している状態の長さでもよい。そして、図５（ｂ）に示したように、使用者が前にかがむと、肩と股間を支点として後ろ身頃部１４０の長さがＬ２に伸びる。このとき後ろ身頃部１４０の弾性力により、かがむ前の状態に復元しようとする。物を把持した者は、この後ろ身頃部１４０の復元力によって、物を持ち上げる動作が補助される。
【００３８】
（第１の実施形態の効果）
以上説明したように、本実施形態によれば、パンツ部１１０の股間部分とショルダー部１２０を支点として後ろ身頃部１４０の伸縮を支持することから、股間部分とショルダー部１２０のみが身体に密着するように着用すればよい。その他の部分は身体に密着させる必要がない。身体の中で動作性が少ない股間部分を支点とすることにより、動作による支点のズレを防ぐことができる。このため、特にベルト状のもので固定する必要がない。このことから、着脱が容易であるとともに、使用者に負担が少ない。このようにして、着脱が容易で使用者に負担の少ない補助ウェア１００を提供することができる。
【００３９】
また、パンツ部１１０の股間部分とショルダー部１２０を支点として後ろ身頃部１４０の伸縮を支持することから、バックル状の長さ調整部１３２を備えることで、後ろ身頃部１４０の伸縮を確実に支持することができる。
【００４０】
また、パンツ部１１０の股間部分とショルダー部１２０を支点として後ろ身頃部１４０の伸縮を支持することから、股間を保護するウレタンパッド１１２を備えることで、股間を保護することができる。
【００４１】
（第２の実施形態）
第２の実施形態に係る補助ウェア２００の構成について、図６及び図７を参照しながら説明する。図６は、着用した状態の補助ウェア２００を前側から見た図である。図７は、着用した状態の補助ウェア２００を後側から見た図である。本実施形態の補助ウェア２００は、ショルダー部２２０に滑り止め２２２が設けられている。この点が、上記第１の実施形態の補助ウェア１００と相違する点である。本実施形態では、上記第１の実施形態と異なる点を中心に説明する。実質的に同一の機能構成を有する構成要素については、同一の符号を付することにより重複説明を省略することがある。
【００４２】
本実施形態のパンツ部２１０、ウレタンパッド２１２、ショルダー部２２０、前側上半身部２３０、長さ調整部２３２、後ろ身頃部２４０は、それぞれ上記第１の実施形態のパンツ部１１０、ウレタンパッド１１２、ショルダー部１２０、前側上半身部１３０、長さ調整部１３２、後ろ身頃部１４０に対応するため、説明を省略する。
【００４３】
ショルダー部２２０には、図６及び図７に示したように、身体の前側から後側にかけて滑り止め２２２が設けられている。このため、ショルダー部２２０の肩からのずれが防止されている。よって、ショルダー部２２０の肩における支点のずれが防止されているので、両肩と股間の３点の支点がずれることによる後ろ身頃部２４０の弾性素材の復元力の低下を防ぐことができる。
【００４４】
（第２の実施形態の効果）
以上説明したように、本実施形態によれば、ショルダー部２２０に滑り止め２２２を備えることで、ショルダー部２２０の肩からのずれが防止されて、肩における支点のずれが防止される。よって、ショルダー部２２０とパンツ部２１０で、後ろ身頃部２４０の伸縮をより確実に支持することができる。
【００４５】
（第３の実施形態）
第３の実施形態に係る補助ウェア３００の構成について、図８及び図９を参照しながら説明する。図８は、補助ウェア３００を前側から見た図である。図９は、補助ウェア３００を後側から見た図である。本実施形態の補助ウェア３００は、パンツ部３１０、前側上半身部３３０、後ろ身頃部２４０の構成が、上記第１の実施形態の補助ウェア１００と相違する点である。本実施形態では、上記第１の実施形態と異なる点を中心に説明する。実質的に同一の機能構成を有する構成要素については、同一の符号を付することにより重複説明を省略することがある。
【００４６】
本実施形態のショルダー部３２０、長さ調整部３３２は、それぞれ上記第１の実施形態のショルダー部１２０、長さ調整部１３２に対応するため、説明を省略する。
【００４７】
補助ウェア３００は、図８及び図９に示したように、パンツ部３１０、前側上半身部３３０及び後ろ身頃部３４０がそれぞれ別体で構成されている。前側上半身部３３０はパンツ部３１０の前側に連結されており、後ろ身頃部３４０はパンツ部３１０の後ろ側に連結されている。前側上半身部３３０と後ろ身頃部３４０とは連結されておらず、脇が連結されていない構成である。以下、各部の構成について説明する。
【００４８】
（パンツ部３１０）
パンツ部３１０は、骨盤より下の臀部や下半身の一部を覆うように構成されている。パンツ部３１０は、第１の実施形態のパンツ部１１０と同様に、補助ウェア３００の着用のしやすさのために、ルーズな構成となっており、ウレタンパッド３１２のみ身体に密着するが、それ以外の部分は身体に密着しない構成となっている。パンツ部３１０内には、図８及び図９に示したように、股間に当たる部分に装着されるウレタンパッド３１２を収容する収容部３１４が設けられている。
【００４９】
収容部３１４は、帯状の形状をしており、前後の両端部がパンツ部３１０の前側と後側の上端部にそれぞれ連結されてパンツ部３１０内で吊り下げられた状態である。このように、ウレタンパッド３１２は、パンツ部３１０の股間部分とは離間しているため、使用者が前にかがんで後ろ身頃部３４０が伸長して後ろ身頃部３４０とパンツ部３１０との連結部分が引き上げられても、ウレタンパッド３１２が股間に食い込むことが防止されている。
【００５０】
（ショルダー部３２０）
ショルダー部３２０は、図９に示したように、左右の肩に掛かる部分でありベルト状に構成されたベルト状部３２２と、ベルト状部３２２の下端と後述する後ろ身頃部３４０を連結する略台形状に構成された台形状部３２４からなる。ベルト状部３２２の上端は後述する前側上半身部３３０に連結されている。ショルダー部３２０は、伸縮性のない素材で構成されている。
【００５１】
（前側上半身部３３０）
前側上半身部３３０は、図８に示したように、ベルト状に構成されており、下端部がパンツ部３１０の前側の上端部に連結されており、上端部が第１の実施形態と同様にショルダー部３２０に連結されている。前側上半身部３３０には、第１の実施形態と同様に、伸縮性のない素材で構成されており、長さ調整部３３２が設けられている。
【００５２】
（後ろ身頃部３４０）
後ろ身頃部３４０は、図９に示したように、ショルダー部３２０の幅と同じかそれ以上の幅を有し、着丈方向に伸縮する弾性素材からなる。後ろ身頃部３４０は、３つの短冊状に構成された生地である後ろ身頃片３４０−１、３４０−２、３４０−３を左右につなぎ合わせて構成されている。３つの後ろ身頃片３４０−１、３４０−２、３４０−３は、幅が１０ｃｍ程度である。後ろ身頃部３４０の下端部３４０ａは、パンツ部３１０のウエストから股間までの間の位置に連結されている。後ろ身頃部３４０とウレタンパッド３１２の収容部３１４とは連結されていない。よって、後ろ身頃部３４０は、パンツ部３１０のウエストに引き上げる方向の力を作用しないため、ウレタンパッド３１２が引き上げられない。このため、ウレタンパッド３１２が股間に食い込むことを防止することができる。
【００５３】
後ろ身頃部３４０の上端３４０ｂは、ショルダー部３２０の台形状部３２４の下端に連結されている。よって、後ろ身頃部３４０が伸長した際の引っ張り力が、台形状部３２４を介して、左右のベルト状部３２２にほぼ均等にかかることになる。なお、後ろ身頃部３４０を構成する後ろ身頃片は、数、引張弾性率、連結方向などを任意とすることができる。例えば、引張弾性率が異なる複数の後ろ身頃片を連結することによって、後ろ身頃部として所望の引張弾性率が得られるようにしてもよい。また、例えば、後ろ身頃片の連結方向は上下方向や斜め方向などとしたり、左右上下斜めなどの複数の連結方向を任意に組み合わせたりしてもよい。後ろ身頃片の数や引張弾性率、連結方向などを任意に組み合わせることよって、後ろ身頃部３４０の弾性力を調整することができる。
【００５４】
（第３の実施形態の効果）
以上説明したように、本実施形態によれば、後ろ身頃部３４０の引っ張り力がウレタンパッド３１２に直接作用しないため、ウレタンパッド３１２が股間に食い込むことを防止することができる。また、前側上半身部３３０と後ろ身頃部３４０とが連結されていないため、後ろ身頃部３４０の伸縮に前側上半身部３３０が影響しない。
【００５５】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００５６】
例えば、上記実施形態では、前側上半身部１３０に後ろ身頃部１４０の弾性力を調整するための長さ調整部１３２を備えたが、本発明はこの例に限定されない。例えば、体型に合わせた各種サイズを用意するなどによって、後ろ身頃部１４０の弾性力の調整が必要なくなれば、長さ調整部１３２を設けなくてもよい。
【００５７】
また、上記実施形態では、バックル状の長さ調整部１３２としたが、本発明はこの例に限定されない。前側上半身部の長さを調整することにより、後ろ身頃部の弾性力を調整するものであれば、任意の構成とすることができる。例えば、バックルではなく、ボタンと複数のボタンホールや、バンド状の上半身部を巻き解きして長さ調整する機構などでもよい。
【００５８】
また、上記実施形態では、パンツ部１１０は、股間を保護するウレタンパッド１１２を備えた構成としたが、本発明はこの例に限定されず、パンツ部の股間部分を支点とする構成であれば、必ずしも、股間パッドは備えなくてもよい。
【００５９】
また、上記第１の実施形態では、パンツ部１１０の股間に当たる部分にウレタンパッド１１２を備えた構成について説明したが、本発明はこれに限定されない。パンツ部１１０には、上記第２の実施形態のような滑り止めを備えるようにしてもよい。滑り止めは、ウレタンパッド１１２に加えて又はウレタンパッド１１２の代わりに備えることができる。滑り止めを備えることで、股間部分のずれが防止されて、股間部分における支点のずれが防止される。
【００６０】
また、上記第２の実施形態では、ショルダー部２２０に滑り止め２２２を設けた構成について説明したが、本発明はこれに限定されない。ショルダー部２２０には、上記第１の実施形態のようなウレタンパッド（ショルダーパッド）を、滑り止め２２２に加えて又は滑り止め２２２の代わりに設けるようにしてもよい。ショルダー部２２０にウレタンパッド（ショルダーパッド）を設けると、肩に掛かる負担を軽減することが可能である。よって肩の痛みなどを防ぐことができる。
【００６１】
また、上記実施形態では、股間に当たる部分にウレタンパッド１１２を備えたが、本発明はこの例に限定されない。股間を保護するパッドであれば、例えば、コットン、ゴム、ジェルなど任意の材質のものを用いることができる。第２の実施形態においてショルダー部２２０にショルダーパッドを設けるときについても同様である。
【００６２】
上記実施形態、応用例、変形例は、任意に組み合わせて実施することができる。
【符号の説明】
【００６３】
１００、２００、３００  補助ウェア
１１０、２１０、３１０  パンツ部
１１２、２１２、３１２  ウレタンパッド（股間パッド）
１２０、２２０、３２０  ショルダー部
１３０、２３０、３３０  前側上半身部
１３２、２３２、３３２  長さ調整部
１４０、２４０、３４０  後ろ身頃部
２２２  滑り止め
【図１】
2019173252.tif 000003
【図２】
2019173252.tif 000004
【図３】
2019173252.tif 000005
【図４】
2019173252.tif 000006
【図５】
2019173252.tif 000007
【図６】
2019173252.tif 000008
【図７】
2019173252.tif 000009
【図８】
2019173252.tif 000010
【図９】
2019173252.tif 000011
【手続補正書】
【提出日】平成30年11月14日(2018.11.14)
【手続補正１】
【補正対象書類名】明細書
【補正対象項目名】全文
【補正方法】変更
【補正の内容】
【発明の詳細な説明】
【技術分野】
【０００１】
本発明は、着用することにより身体の動きを補助する補助ウェアに関する。
【背景技術】
【０００２】
従来、着用することにより身体の動きを補助する補助ウェアとして、特開２０１６−６４０５５号公報（特許文献１）に開示するものがあった。同文献に開示される補助ウェアは、左肩から背中を通り右腰部にかけて配置される第１の上半身用主部材と、右肩から背中を通り左腰部にかけて配置される第２の上半身用主部材と、上半身用主部材と接続し臀部に配置される下半身用主部材とによって、体幹を前屈させた姿勢での腰背部の筋を補助する。そして、第１の上半身用主部材と第２の上半身用主部材が背中で交差する交差位置に、第１の上半身用主部材と第２の上半身用主部材との離間距離を所定以下に規制する離間規制部を備えているものである。
【０００３】
このような補助ウェアによれば、体幹を前屈させた姿勢での腰背部の筋を補助する機能を損なったり、体幹側屈や回旋などの動作に干渉したりすることなく、弾性部材同士や生地との絡まりを防いで着脱を容易にすることができる。
【先行技術文献】
【特許文献】
【０００４】
【特許文献１】特開２０１６−６４０５５号公報
【発明の概要】
【発明が解決しようとする課題】
【０００５】
しかしながら、特許文献１に開示されるような従来の補助ウェアでは、装着の際にバンド状の部材を身体に取り付ける必要があるため、着脱しやすいとは言えず更なる改善の余地があった。また、バンド状の部材を身体に固定すると、部材が身体に食い込み、使用者に負担を与えるという問題があった。
【０００６】
そこで本発明は、このような問題に鑑みてなされたもので、その目的とするところは、着脱が容易で使用者に負担の少ない、新規かつ改良された補助ウェアを提供することにある。
【課題を解決するための手段】
【０００７】
上記課題を解決するために、本発明によれば、少なくとも股間を覆うパンツ部と、左右の肩に掛かるショルダー部と、前記パンツ部から身体の前面を経て前記ショルダー部に至る前側上半身部と、前記パンツ部から身体の背面を覆い前記ショルダー部に至る後ろ身頃部と、を備え、前記後ろ身頃部は、着丈方向に伸縮する弾性素材からなり、前記パンツ部の股間部分と前記ショルダー部を支点として、前記後ろ身頃部の伸縮を支持することを特徴とする、補助ウェアが提供される。
【０００８】
かかる構成によれば、パンツ部の股間部分とショルダー部を支点として後ろ身頃部の伸縮を支持することから、股間部分とショルダー部のみが身体に密着するように着用すればよい。その他の部分は身体に密着させる必要がない。身体の中で動作性が少ない股間部分を支点とすることにより、動作による支点のズレを防ぐことができる。このため、特にベルト状のもので固定する必要がない。このことから、着脱が容易であるとともに、使用者に負担が少ない。このようにして、着脱が容易で使用者に負担の少ない補助ウェアを提供することができる。
【０００９】
本発明は様々な応用が可能である。以下の応用例は適宜組み合わせることが可能である。例えば、前記前側上半身部に、前記前側上半身部の長さを調整することにより、前記後ろ身頃部の弾性力を調整するための長さ調整部を備えるようにしてもよい。例えばバックルのようなものを備えてもよい。本発明ではパンツ部の股間部分とショルダー部を支点として後ろ身頃部の伸縮を支持することから、このような長さ調整部を備えることで、後ろ身頃部の伸縮を確実に支持することができる。
【００１０】
また、前記パンツ部は、股間を保護する股間パッドを備えるようにしてもよい。本発明ではパンツ部の股間部分とショルダー部を支点として後ろ身頃部の伸縮を支持することから、このような股間パッドを備えることで、股間を保護することができる。
【００１１】
また、前記パンツ部の股間部分に、滑り止めを備えるようにしてもよい。股間部分に又は股間パッドに滑り止めを備えることで、股間部分のずれが防止されて、股間部分における支点のずれが防止される。よって、ショルダー部とパンツ部で、後ろ身頃部の伸縮をより確実に支持することができる。
【００１２】
また、前記ショルダー部は、肩を保護するショルダーパッドを備えるようにしてもよい。本発明ではパンツ部の股間部分とショルダー部を支点として後ろ身頃部の伸縮を支持することから、このようなショルダーパッドを備えることで、肩を保護することができる。特に、上記の長さ調整部を備えた場合には、長さ調整時の肩の締め付け防止に効果がある。
【００１３】
また、前記ショルダー部は、滑り止めを備えるようにしてもよい。ショルダー部に滑り止めを備えることで、ショルダー部の肩からのずれが防止されて、肩における支点のずれが防止される。よって、ショルダー部とパンツ部で、後ろ身頃部の伸縮をより確実に支持することができる。特に、パンツ部の股間部分とショルダー部に同じ滑り止めを備えると、肩と股間部分で滑り止めの感覚が共通となり、伸縮動作時の力の入れ方が容易になる。
【００１４】
また、前記パンツ部は、股間以外は身体に密着しないようにしてもよい。パンツ部はルーズな構成となっており股間以外は身体に密着しない構成であるため、着脱が容易である。
【００１５】
また、前記後ろ身頃部は、前記ショルダー部の幅と同じかそれ以上の幅を有するようにしてもよい。後ろ身頃部の伸縮力が左右のショルダー部にほぼ等分にかかるため、後ろ身頃部の伸縮を確実に支持することができる。
【００１６】
また、前記後ろ身頃部は、身体の背面の全域（ほぼ全域）を覆うようにしてもよい。後ろ身頃部が身体の背面の全域を覆うため、腰を曲げたときの弾性素材の伸縮力が背面全域に作用して、重量物を持ち上げる際に、背筋を効率よく補助することができる。
【００１７】
また、前記後ろ身頃部と前記前側上半身部は連結されていないようにすることもできる。例えば、前側上半身部をバンド状にするなどして、後ろ身頃部と前側上半身部とは連結されておらず、脇が開いている構成とすることによって、前側上半身部が後ろ身頃部の伸縮に影響を及ぼさない。このため、後ろ身頃部を効率よく伸縮することができる。
【００１８】
また、前記パンツ部、前記ショルダー部及び前記前側上半身部は、伸縮性のない素材又は前記後ろ身頃部の伸縮率の１／４以下の伸縮率を有する素材からなるようにしてもよい。パンツ部の股間部分とショルダー部の位置がずれにくいため、股間部分とショルダー部を支点として、後ろ身頃部の伸縮を効率よく支持することができる。
【００１９】
また、前記後ろ身頃部は、複数の後ろ身頃片をつなぎ合わせて構成されるようにしてもよい。複数の後ろ身頃片は、数、後ろ身頃片毎の引張弾性率、連結方向などを任意とすることができるため、後ろ身頃片の数、引張弾性率、連結方向などを任意に組み合わせることよって、後ろ身頃部の弾性力を調整することができる。
【発明の効果】
【００２０】
本発明によれば、着脱が容易で使用者に負担の少ない補助ウェアを提供することが可能である。本発明のその他の効果については、後述する発明を実施するための形態においても説明する。
【図面の簡単な説明】
【００２１】
【図１】着用した状態の補助ウェア１００を前側から見た図である。
【図２】着用した状態の補助ウェア１００を後側から見た図である。
【図３】補助ウェア１００の着用方法を示す図であり、（ａ）はパンツ部１１０を履くために、片足を入れたところを示し、（ｂ）はパンツ部１１０を着用したところを示す。
【図４】補助ウェア１００の着用方法を示す図であり、（ａ）はショルダー部１２０を片方通したところを示し、（ｂ）はショルダー部１２０を両方通したところを示し、（ｃ）はショルダー部１２０を調整しているところを示す。
【図５】補助ウェア１００の作用を示す図であり、（ａ）は使用者が直立しているところを示し、（ｂ）は使用者が腰をかがめているところを示す。
【図６】着用した状態の補助ウェア２００を前側から見た図である。
【図７】着用した状態の補助ウェア２００を後側から見た図である。
【図８】補助ウェア３００を前側から見た図である。
【図９】補助ウェア３００を後側から見た図である。
【発明を実施するための形態】
【００２２】
以下に添付図面を参照しながら、本発明の好適な実施形態について詳細に説明する。なお、本明細書及び図面において、実質的に同一の機能構成を有する構成要素については、同一の符号を付することにより重複説明を省略する。
【００２３】
（第１の実施形態）
補助ウェア１００の構成について、図１及び図２を参照しながら説明する。図１は、着用した状態の補助ウェア１００を前側から見た図である。図２は、着用した状態の補助ウェア１００を後側から見た図である。
【００２４】
補助ウェア１００は、図１及び図２に示したように、少なくとも股間を覆うパンツ部１１０と、左右の肩に掛かるショルダー部１２０と、パンツ部１１０から身体の前面を経てショルダー部１２０に至る前側上半身部１３０と、パンツ部１１０から身体の背面を覆いショルダー部１２０に至る後ろ身頃部１４０とを備える。そして、補助ウェア１００の特徴としては、後ろ身頃部１４０は着丈方向に伸縮する弾性素材からなり、パンツ部１１０の股間部分とショルダー部１２０を支点として、後ろ身頃部１４０の伸縮を支持することを特徴とする。以下、各構成要素について、詳述する。
【００２５】
（パンツ部１１０）
パンツ部１１０は、図１及び図２に示したように、少なくとも股間を覆う部分である。なお股間とは、脚の付け根近傍から臀部近傍を含む部分である。パンツ部１１０は、股間部分以外の部分は身体に密着していない。パンツ部１１０は、後述する後ろ身頃部１４０の１／４程度の伸縮率を有する素材で構成されている。ただし、パンツ部１１０は、例えば伸縮性のない素材や、汗で濡れたときや洗濯時などにも渇きやすく適度な伸縮性を有するドライストレッチ素材で構成されていてもよい。
【００２６】
パンツ部１１０は、図１及び図２に示したように、股間に当たる部分にウレタンパッド１１２を備える。ウレタンパッド１１２は、身体に密着することによりパンツ部１１０が股間へ食い込むことを防ぎ、身体を保護するとともに、後述するように、後ろ身頃部１４０の伸縮を支持する。なお、ウレタンパッド１１２は、縫製などにより着脱不能なように取り付けられてもよく、パンツ部１１０に縫い付けられたインナーパンツの股間に当たる部分に取り付けられてもよい。また、ボタンなどにより容易に着脱可能に取り付けられてもよい。
【００２７】
パンツ部１１０は、補助ウェア１００の着用のしやすさのために、ルーズな構成となっており、ウレタンパッド１１２のみ身体に密着するが、それ以外の部分は身体に密着しない構成となっている。このため、補助ウェア１００の着用時には、簡単にパンツ部１１０に脚を通せる。なお、パンツ部１１０の長さは任意でよい。例えば、夏用と冬用あるいは大人用と子供用などに応じて、長さを変えてもよい。
【００２８】
（ショルダー部１２０）
ショルダー部１２０は、図１に示したように、左右の肩に掛かる部分である。ショルダー部１２０は後述する前側上半身部１３０と後ろ身頃部１４０に連結されている。ショルダー部１２０は、後述する後ろ身頃部１４０の１／４程度の伸縮率を有する素材で構成されている。ただし、ショルダー部１２０は、例えば伸縮性のない素材や、汗で濡れたときや洗濯時などにも渇きやすく適度な伸縮性を有するドライストレッチ素材で構成されていてもよい。ショルダー部１２０は肩に密着する。使用者は、ショルダー部１２０の２点と上記パンツ部１１０の股間部分の１点の合計３点のみで、後ろ身頃部１４０の伸縮を支持する。
【００２９】
（前側上半身部１３０）
前側上半身部１３０は、図１に示したように、パンツ部１１０から身体の前面を経てショルダー部１２０に至る部分である。前側上半身部１３０は、左右のショルダー部１２０から連なるバンド状に構成されている。このため、着脱時には、前側上半身部１３０を左右に開くことで、着脱が容易である。前側上半身部１３０は、後述する後ろ身頃部１４０の１／４程度の伸縮率を有する素材で構成されている。ただし、前側上半身部１３０は、例えば伸縮性のない素材や、汗で濡れたときや洗濯時などにも渇きやすく適度な伸縮性を有するドライストレッチ素材で構成されていてもよい。
【００３０】
前側上半身部１３０には、図１に示したように、後ろ身頃部１４０の弾性力を調整するためのバックル状の長さ調整部１３２を備えている。本実施形態の補助ウェア１００は、股間とショルダー部１２０のみで、後ろ身頃部１４０の伸縮を支持することを特徴とする。この長さ調整部１３２を調整することで、後ろ身頃部１４０の弾性素材を伸長させて、弾性素材の復元力を調整することができる。すなわち、後ろ身頃部１４０の弾性素材を伸長した状態で腰を曲げると、弾性素材の復元力が強まり、重量物を持ち上げる際に、背筋を補助する仕組みになっている。
【００３１】
（後ろ身頃部１４０）
後ろ身頃部１４０は、図２に示したように、パンツ部１１０から身体の背面を覆いショルダー部１２０に至る部分である。後ろ身頃部１４０は、例えば肩甲骨の下部から骨盤の上部までとすることができる。後ろ身頃部１４０は、着丈方向に伸縮する弾性素材からなる。なお一般に後ろ身頃とは、ウェアの胴体の後ろを覆う部分であり、うしろみとも称される部分である。本実施形態の補助ウェア１００は、背中の部分をほぼ全域及び腰部から臀部わたって覆うことを特徴とする。そして、後ろ身頃部１４０は、ショルダー部１２０の幅と同じかそれ以上の幅を有し、着丈方向に伸縮する弾性素材からなる。例えば、後ろ身頃部１４０は、他の部分よりも４倍程度、伸縮する素材（例えば、見掛けの引張弾性率（引っ張り弾性係数）が３．５〜３．７ＭＰａ程度の素材）とすることができる。なお、後ろ身頃部１４０は、強度や伸縮を増すために、複数の弾性素材を重ねたり、つなげたりしたものであってもよい。
【００３２】
以上、補助ウェア１００の構成について説明した。次に、補助ウェア１００の着用時の動作について、図３及び図４を参照しながら説明する。図３及び図４は、補助ウェア１００の着用時の動作を示す図である。
【００３３】
補助ウェア１００の着用時について、図３を参照しながら説明する。まず、使用者は、ショルダー部１２０と前側上半身部１３０の左右の部分を押し広げる。そして、使用者は、図３（ａ）に示したように、補助ウェア１００を左右の手で持って、パンツ部１１０を通常のパンツのように履く。このとき、パンツ部１１０はウレタンパッド１１２の部分のみを身体に密着させればよく、その他の部分は身体に密着させる必要がないため、着用が容易である。図３（ｂ）は、使用者がパンツ部１１０を着用した状態である。
【００３４】
次に、使用者は、図４（ａ）に示したように、ショルダー部１２０を一方の肩に掛ける。図４（ｂ）は、使用者がショルダー部１２０を両肩に掛けた状態である。このときも、前側上半身部１３０を身体に密着させる必要がなく、後から長さを調整できるため、着用が容易である。その後、使用者は、図４（ｃ）に示したように、長さ調整部１３２によって長さを調整する。長さ調整部１３２を調整することで、後ろ身頃部１４０の伸縮を支持するのに適切な長さに調整することができる。
【００３５】
補助ウェア１００を脱ぐときには、以上の動作の逆の手順で脱ぐことができる。
【００３６】
次に、補助ウェア１００の作用について、図５を参照しながら説明する。図５は、補助ウェア１００の作用を示す図であり、（ａ）は使用者が直立しているところを示し、（ｂ）は使用者が腰をかがめているところを示す。
【００３７】
一例として物を持ち上げるときの動作について説明する。
使用者が補助ウェア１００を着て直立した状態では、図５（ａ）に示したように、肩から股間までの長さはＬ１である。この長さＬ１は後ろ身頃部１４０が伸びてもいず縮んでもいない自然長であってもよく、また、曲げ方向に対する復元力を増すために後ろ身頃部１４０が伸長している状態の長さでもよい。そして、図５（ｂ）に示したように、使用者が前にかがむと、肩と股間を支点として後ろ身頃部１４０の長さがＬ２に伸びる。このとき後ろ身頃部１４０の弾性力により、かがむ前の状態に復元しようとする。物を把持した者は、この後ろ身頃部１４０の復元力によって、物を持ち上げる動作が補助される。
【００３８】
（第１の実施形態の効果）
以上説明したように、本実施形態によれば、パンツ部１１０の股間部分とショルダー部１２０を支点として後ろ身頃部１４０の伸縮を支持することから、股間部分とショルダー部１２０のみが身体に密着するように着用すればよい。その他の部分は身体に密着させる必要がない。身体の中で動作性が少ない股間部分を支点とすることにより、動作による支点のズレを防ぐことができる。このため、特にベルト状のもので固定する必要がない。このことから、着脱が容易であるとともに、使用者に負担が少ない。このようにして、着脱が容易で使用者に負担の少ない補助ウェア１００を提供することができる。
【００３９】
また、パンツ部１１０の股間部分とショルダー部１２０を支点として後ろ身頃部１４０の伸縮を支持することから、バックル状の長さ調整部１３２を備えることで、後ろ身頃部１４０の伸縮を確実に支持することができる。
【００４０】
また、パンツ部１１０の股間部分とショルダー部１２０を支点として後ろ身頃部１４０の伸縮を支持することから、股間を保護するウレタンパッド１１２を備えることで、股間を保護することができる。
【００４１】
（第２の実施形態）
第２の実施形態に係る補助ウェア２００の構成について、図６及び図７を参照しながら説明する。図６は、着用した状態の補助ウェア２００を前側から見た図である。図７は、着用した状態の補助ウェア２００を後側から見た図である。本実施形態の補助ウェア２００は、ショルダー部２２０に滑り止め２２２が設けられている。この点が、上記第１の実施形態の補助ウェア１００と相違する点である。本実施形態では、上記第１の実施形態と異なる点を中心に説明する。実質的に同一の機能構成を有する構成要素については、同一の符号を付することにより重複説明を省略することがある。
【００４２】
本実施形態のパンツ部２１０、ウレタンパッド２１２、ショルダー部２２０、前側上半身部２３０、長さ調整部２３２、後ろ身頃部２４０は、それぞれ上記第１の実施形態のパンツ部１１０、ウレタンパッド１１２、ショルダー部１２０、前側上半身部１３０、長さ調整部１３２、後ろ身頃部１４０に対応するため、説明を省略する。
【００４３】
ショルダー部２２０には、図６及び図７に示したように、身体の前側から後側にかけて滑り止め２２２が設けられている。このため、ショルダー部２２０の肩からのずれが防止されている。よって、ショルダー部２２０の肩における支点のずれが防止されているので、両肩と股間の３点の支点がずれることによる後ろ身頃部２４０の弾性素材の復元力の低下を防ぐことができる。
【００４４】
（第２の実施形態の効果）
以上説明したように、本実施形態によれば、ショルダー部２２０に滑り止め２２２を備えることで、ショルダー部２２０の肩からのずれが防止されて、肩における支点のずれが防止される。よって、ショルダー部２２０とパンツ部２１０で、後ろ身頃部２４０の伸縮をより確実に支持することができる。
【００４５】
（第３の実施形態）
第３の実施形態に係る補助ウェア３００の構成について、図８及び図９を参照しながら説明する。図８は、補助ウェア３００を前側から見た図である。図９は、補助ウェア３００を後側から見た図である。本実施形態の補助ウェア３００は、パンツ部３１０、前側上半身部３３０、後ろ身頃部３４０の構成が、上記第１の実施形態の補助ウェア１００と相違する点である。本実施形態では、上記第１の実施形態と異なる点を中心に説明する。実質的に同一の機能構成を有する構成要素については、同一の符号を付することにより重複説明を省略することがある。
【００４６】
本実施形態のショルダー部３２０、長さ調整部３３２は、それぞれ上記第１の実施形態のショルダー部１２０、長さ調整部１３２に対応するため、説明を省略する。
【００４７】
補助ウェア３００は、図８及び図９に示したように、パンツ部３１０、前側上半身部３３０及び後ろ身頃部３４０がそれぞれ別体で構成されている。前側上半身部３３０はパンツ部３１０の前側に連結されており、後ろ身頃部３４０はパンツ部３１０の後ろ側に連結されている。前側上半身部３３０と後ろ身頃部３４０とは連結されておらず、脇が連結されていない構成である。以下、各部の構成について説明する。
【００４８】
（パンツ部３１０）
パンツ部３１０は、骨盤より下の臀部や下半身の一部を覆うように構成されている。パンツ部３１０は、第１の実施形態のパンツ部１１０と同様に、補助ウェア３００の着用のしやすさのために、ルーズな構成となっており、ウレタンパッド３１２のみ身体に密着するが、それ以外の部分は身体に密着しない構成となっている。パンツ部３１０内には、図８及び図９に示したように、股間に当たる部分に装着されるウレタンパッド３１２を収容する収容部３１４が設けられている。
【００４９】
収容部３１４は、帯状の形状をしており、前後の両端部がパンツ部３１０の前側と後側の上端部にそれぞれ連結されてパンツ部３１０内で吊り下げられた状態である。このように、ウレタンパッド３１２は、パンツ部３１０の股間部分とは離間しているため、使用者が前にかがんで後ろ身頃部３４０が伸長して後ろ身頃部３４０とパンツ部３１０との連結部分が引き上げられても、ウレタンパッド３１２が股間に食い込むことが防止されている。
【００５０】
（ショルダー部３２０）
ショルダー部３２０は、図９に示したように、左右の肩に掛かる部分でありベルト状に構成されたベルト状部３２２と、ベルト状部３２２の下端と後述する後ろ身頃部３４０を連結する略台形状に構成された台形状部３２４からなる。ベルト状部３２２の上端は後述する前側上半身部３３０に連結されている。ショルダー部３２０は、伸縮性のない素材で構成されている。
【００５１】
（前側上半身部３３０）
前側上半身部３３０は、図８に示したように、ベルト状に構成されており、下端部がパンツ部３１０の前側の上端部に連結されており、上端部が第１の実施形態と同様にショルダー部３２０に連結されている。前側上半身部３３０には、第１の実施形態と同様に、伸縮性のない素材で構成されており、長さ調整部３３２が設けられている。
【００５２】
（後ろ身頃部３４０）
後ろ身頃部３４０は、図９に示したように、ショルダー部３２０の幅と同じかそれ以上の幅を有し、着丈方向に伸縮する弾性素材からなる。後ろ身頃部３４０は、３つの短冊状に構成された生地である後ろ身頃片３４０−１、３４０−２、３４０−３を左右につなぎ合わせて構成されている。３つの後ろ身頃片３４０−１、３４０−２、３４０−３は、幅が１０ｃｍ程度である。後ろ身頃部３４０の下端部３４０ａは、パンツ部３１０のウエストから股間までの間の位置に連結されている。後ろ身頃部３４０とウレタンパッド３１２の収容部３１４とは連結されていない。よって、後ろ身頃部３４０は、パンツ部３１０のウエストに引き上げる方向の力を作用しないため、ウレタンパッド３１２が引き上げられない。このため、ウレタンパッド３１２が股間に食い込むことを防止することができる。
【００５３】
後ろ身頃部３４０の上端３４０ｂは、ショルダー部３２０の台形状部３２４の下端に連結されている。よって、後ろ身頃部３４０が伸長した際の引っ張り力が、台形状部３２４を介して、左右のベルト状部３２２にほぼ均等にかかることになる。なお、後ろ身頃部３４０を構成する後ろ身頃片は、数、引張弾性率、連結方向などを任意とすることができる。例えば、引張弾性率が異なる複数の後ろ身頃片を連結することによって、後ろ身頃部として所望の引張弾性率が得られるようにしてもよい。また、例えば、後ろ身頃片の連結方向は上下方向や斜め方向などとしたり、左右上下斜めなどの複数の連結方向を任意に組み合わせたりしてもよい。後ろ身頃片の数や引張弾性率、連結方向などを任意に組み合わせることよって、後ろ身頃部３４０の弾性力を調整することができる。
【００５４】
（第３の実施形態の効果）
以上説明したように、本実施形態によれば、後ろ身頃部３４０の引っ張り力がウレタンパッド３１２に直接作用しないため、ウレタンパッド３１２が股間に食い込むことを防止することができる。また、前側上半身部３３０と後ろ身頃部３４０とが連結されていないため、後ろ身頃部３４０の伸縮に前側上半身部３３０が影響しない。
【００５５】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００５６】
例えば、上記実施形態では、前側上半身部１３０に後ろ身頃部１４０の弾性力を調整するための長さ調整部１３２を備えたが、本発明はこの例に限定されない。例えば、体型に合わせた各種サイズを用意するなどによって、後ろ身頃部１４０の弾性力の調整が必要なくなれば、長さ調整部１３２を設けなくてもよい。
【００５７】
また、上記実施形態では、バックル状の長さ調整部１３２としたが、本発明はこの例に限定されない。前側上半身部の長さを調整することにより、後ろ身頃部の弾性力を調整するものであれば、任意の構成とすることができる。例えば、バックルではなく、ボタンと複数のボタンホールや、バンド状の上半身部を巻き解きして長さ調整する機構などでもよい。
【００５８】
また、上記実施形態では、パンツ部１１０は、股間を保護するウレタンパッド１１２を備えた構成としたが、本発明はこの例に限定されず、パンツ部の股間部分を支点とする構成であれば、必ずしも、股間パッドは備えなくてもよい。
【００５９】
また、上記第１の実施形態では、パンツ部１１０の股間に当たる部分にウレタンパッド１１２を備えた構成について説明したが、本発明はこれに限定されない。パンツ部１１０には、上記第２の実施形態のような滑り止めを備えるようにしてもよい。滑り止めは、ウレタンパッド１１２に加えて又はウレタンパッド１１２の代わりに備えることができる。滑り止めを備えることで、股間部分のずれが防止されて、股間部分における支点のずれが防止される。
【００６０】
また、上記第２の実施形態では、ショルダー部２２０に滑り止め２２２を設けた構成について説明したが、本発明はこれに限定されない。ショルダー部２２０には、上記第１の実施形態のようなウレタンパッド（ショルダーパッド）を、滑り止め２２２に加えて又は滑り止め２２２の代わりに設けるようにしてもよい。ショルダー部２２０にウレタンパッド（ショルダーパッド）を設けると、肩に掛かる負担を軽減することが可能である。よって肩の痛みなどを防ぐことができる。
【００６１】
また、上記実施形態では、股間に当たる部分にウレタンパッド１１２を備えたが、本発明はこの例に限定されない。股間を保護するパッドであれば、例えば、コットン、ゴム、ジェルなど任意の材質のものを用いることができる。第２の実施形態においてショルダー部２２０にショルダーパッドを設けるときについても同様である。
【００６２】
上記実施形態、応用例、変形例は、任意に組み合わせて実施することができる。
【符号の説明】
【００６３】
１００、２００、３００  補助ウェア
１１０、２１０、３１０  パンツ部
１１２、２１２、３１２  ウレタンパッド（股間パッド）
１２０、２２０、３２０  ショルダー部
１３０、２３０、３３０  前側上半身部
１３２、２３２、３３２  長さ調整部
１４０、２４０、３４０  後ろ身頃部
２２２  滑り止め
【手続補正２】
【補正対象書類名】図面
【補正対象項目名】全図
【補正方法】変更
【補正の内容】
【図１】
2019173252.tif 000012
【図２】
2019173252.tif 000013
【図３】
2019173252.tif 000014
【図４】
2019173252.tif 000015
【図５】
2019173252.tif 000016
【図６】
2019173252.tif 000017
【図７】
2019173252.tif 000018
【図８】
2019173252.tif 000019
【図９】
2019173252.tif 000020